(57)【要約】【課題】基地局から遠隔設置され、ＲＦ信号を移動通信端末（ＭＳ）と送受信する遠隔のＲＦ装置と基地局との間に高品質の信号を、低コストで容易に設置できる線路を通して伝送する移動通信基地局システムを提供する。【解決手段】基地局システムは、ＢＳＣからＭＳに伝送される信号を受信し、これをイーサネット（登録商標）規定のデータフォーマットとは異なる予め定められたＲＲＵフレームである伝送フレームフォーマットに従いフレーミングして複数のＲＲＵフレームをイーサネット（登録商標）を通して連続して送信するＤＭＵと、ＤＭＵから送信されたＲＲＵフレームを受信してイーサネット（登録商標）を通して複数のＲＲＵに分配するＲＲＵハブと、ＲＲＵハブから受信したＲＲＵフレームをデフレーミングしてＲＦ信号に変調しＭＳに送信することによってデフレーミングされた信号を生成する複数のＲＲＵと、を備える。【選択図】図１
2004040802.tif 000002
【特許請求の範囲】
【請求項１】
　移動通信交換網に接続されるＢＳＣと移動通信端末との間の移動通信を提供する基地局システムにおいて、
　前記ＢＳＣから前記移動通信端末に伝送される信号を受信し、該受信信号をイーサネット（登録商標）に規定されたデータフォーマットとは異なる予め定めたＲＲＵフレームである伝送フレームフォーマットに従いフレーミングし、複数の前記ＲＲＵフレームをツイストペアケーブルを使用するイーサネット（登録商標）を通して連続して送信するＤＭＵと、
　前記ＤＭＵによって送信された前記ＲＲＵフレームを受信し、該受信ＲＲＵフレームをツイストペアケーブルを使用するイーサネット（登録商標）を通して複数のＲＲＵに分配する少なくとも１つのＲＲＵハブと、
　前記ＲＲＵハブから受信した前記ＲＲＵフレームをデフレーミングしてデフレーミング信号を生成し、該デフレーミング信号をＲＦ信号に変調して、該ＲＦ信号を前記移動通信端末に送信する複数のＲＲＵと、を備えることを特徴とする移動通信基地局システム。
【請求項２】
　前記複数のＲＲＵは、前記移動通信端末によって送信されたＲＦ信号を受信し、該受信ＲＦ信号をＩＦ信号に変換し、ＲＲＵフレームを形成するために前記ＩＦ信号を対応する伝送フレームフォーマットに従いフレーミングし、該対応するＲＲＵフレームをツイストペアケーブルを使用するイーサネット（登録商標）を通して前記少なくとも１つのＲＲＵハブに送信し、
　前記ＲＲＵハブは、前記ＲＲＵによって送信されたそれぞれの前記対応するＲＲＵフレームを多重化し、前記複数のＲＲＵフレームをツイストペアケーブルを使用するイーサネット（登録商標）を通して前記ＤＭＵに連続して送信し、
　前記ＤＭＵは、前記ＲＲＵハブから受信した前記ＲＲＵフレームをデフレーミングしてデフレーミング信号を生成し、該デフレーミング信号を前記ＢＳＣに送信する請求項１記載の移動通信基地局システム。
【請求項３】
　前記少なくとも１つのＲＲＵハブと前記複数のＲＲＵのうちいずれか１つとの間にツイストペアケーブルを使用するイーサネット（登録商標）を通して接続される少なくとも１つのＲＲＵ中継器をさらに備え、該ＲＲＵ中継器は、前記少なくとも１つのＲＲＵハブと前記複数のＲＲＵのうちいずれか１つとの間に伝送される前記ＲＲＵフレームを復元、波形整形及び増幅する請求項１記載の移動通信基地局システム。
【請求項４】
　前記少なくとも１つのＲＲＵハブと前記複数のＲＲＵのうちいずれか１つとの間にツイストペアケーブルを使用するイーサネット（登録商標）を通して接続される少なくとも１つのＲＲＵ中継器をさらに備え、該ＲＲＵ中継器は、前記少なくとも１つのＲＲＵハブと前記複数のＲＲＵのうちいずれか１つとの間に伝送される前記ＲＲＵフレームを復元、波形整形及び増幅する請求項２記載の移動通信基地局システム。
【請求項５】
　前記ＤＭＵは、
　前記ＢＳＣから前記移動通信端末に伝送される前記信号を受信し復調したベースバンドトラヒックデータを生成するベースバンド変復調部と、
　前記ベースバンドトラヒックデータを受信して損失を防止するためにメモリに一時的に貯蔵してから連続して出力するデータ受信部と、
　前記データ受信部から出力される前記ベースバンドトラヒックデータを受信して前記伝送フレームフォーマットに従い前記複数のＲＲＵフレームを連続して生成するフレームフォーマッティング部と、
　前記ＲＲＵフレームを４Ｂ／５Ｂ符号化して、該４Ｂ／５Ｂ符号化ＲＲＵフレームを出力するインターフェース変換部と、
　前記４Ｂ／５Ｂ符号化ＲＲＵフレームをツイストペアケーブルを使用するイーサネット（登録商標）を通して前記少なくとも１つのＲＲＵハブに伝送するためにライン符号化するイーサネット（登録商標）ドライバーと、を備える請求項１記載の移動通信基地局システム。
【請求項６】
　前記ＤＭＵは、
　前記ＲＲＵハブから受信した前記ＲＲＵフレームをライン復号化してライン復号化信号を出力するイーサネット（登録商標）ドライバーと、
　前記ライン復号化信号を４Ｂ／５Ｂ復号化して４Ｂ／５Ｂ復号化ＲＲＵフレームを出力するインターフェース変換部と、
　前記４Ｂ／５Ｂ復号化ＲＲＵフレームを前記伝送フレームフォーマットに従いデフレーミングしてベースバンドトラヒックデータを出力するフレームフォーマッティング部と、
　前記ベースバンドトラヒックデータを受信して損失を防止するためにメモリに一時的に貯蔵してから出力するデータ受信部と、
　前記ベースバンドトラヒックデータを受信して前記ＢＳＣに伝送する変調したベースバンドトラヒックデータを生成するベースバンド変復調部と、を備える請求項２記載の移動通信基地局システム。
【請求項７】
　前記ＤＭＵは、時刻及びクロック情報を受信してそれに同期した伝送クロック信号を発生するＧＰＳユニットをさらに備え、前記伝送クロック信号に同期してデータを処理及び送信する請求項５記載の移動通信基地局システム。
【請求項８】
　前記伝送クロック信号は、１００Ｂａｓｅ−Ｔ規格による２５ＭＨｚの周波数を有する請求項７記載の移動通信基地局システム。
【請求項９】
　前記少なくとも１つのＲＲＵハブは、
　ツイストペアケーブルを通して前記ＤＭＵから受信した前記複数のＲＲＵフレームからなる信号をライン復号化してライン復号化信号を出力する第１イーサネット（登録商標）ドライバーと、
　前記ライン復号化信号を４Ｂ／５Ｂ復号化して前記ＲＲＵフレームを出力する第１インターフェース変換部と、
　前記第１インターフェース変換部から出力された前記ＲＲＵフレームを前記伝送フレームフォーマットに従いデフレーミングしてデフレーミングデータを出力する第１フレームフォーマッティング部と、
　前記デフレーミングデータを複数のＲＲＵ接続部に分配する多重化部と、
　それぞれの前記ＲＲＵのうちいずれか１つに対応するように接続され、前記多重化部から受信した前記デフレーミングデータをＲＲＵフレームを出力するために前記伝送フレームフォーマットに従いフレーミングし、前記出力するＲＲＵフレームを４Ｂ／５Ｂ符号化し、該４Ｂ／５Ｂ符号化ＲＲＵフレームをツイストペアケーブルを使用するイーサネット（登録商標）を通して前記ＲＲＵのうちの対応する１つに伝送するためにライン符号化する前記ＲＲＵ接続部と、
　前記多重化部の分配を制御するＲＲＵハブ制御部と、を備える請求項１記載の移動通信基地局システム。
【請求項１０】
　それぞれの前記ＲＲＵ接続部は、
　ＲＲＵフレームを出力するために前記多重化部から受信した前記デフレーミングデータを前記伝送フレームフォーマットに従いフレーミングする第２フレームフォーマッティング部と、
　前記第２フレームフォーマッティング部から受信した前記出力するＲＲＵフレームを４Ｂ／５Ｂ符号化する第２インターフェース変換部と、
　前記４Ｂ／５Ｂ符号化ＲＲＵフレームをツイストペアケーブルを使用するイーサネット（登録商標）を通して前記ＲＲＵのうちの対応する１つに伝送するためにライン符号化する第２イーサネット（登録商標）ドライバーと、を備える請求項９記載の移動通信基地局システム。
【請求項１１】
　前記少なくとも１つのＲＲＵハブは、
　前記ＲＲＵから受信した前記ＲＲＵフレームをライン復号化してライン復号化信号を出力する第２イーサネット（登録商標）ドライバーと、前記ライン復号化信号を４Ｂ／５Ｂ復号化して４Ｂ／５Ｂ復号化ＲＲＵフレームを出力する第２インターフェース変換部と、前記４Ｂ／５Ｂ復号化ＲＲＵフレームを前記伝送フレームフォーマットに従いデフレーミングしてトラヒックデータを出力する第２フレームフォーマッティング部と、を含む前記ＲＲＵのうちの対応する１つに接続される複数のＲＲＵ接続部と、
　ＲＲＵハブ制御部によって制御され、前記第２フレームフォーマッティング部から出力される前記トラヒックデータを多重化して多重化データを出力する多重化部と、
　前記多重化データから前記伝送フレームフォーマットに従い複数のＲＲＵフレームを連続して生成する第１フレームフォーマッティング部と、
　前記ＲＲＵフレームを４Ｂ／５Ｂ符号化して４Ｂ／５Ｂ符号化ＲＲＵフレームを出力する第１インターフェース変換部と、
　前記４Ｂ／５Ｂ符号化ＲＲＵフレームをツイストペアケーブルを使用するイーサネット（登録商標）を通して前記ＤＭＵに伝送するためにライン符号化する第１イーサネット（登録商標）ドライバーと、を備える請求項２記載の移動通信基地局システム。
【請求項１２】
　それぞれの前記ＲＲＵは、
　ツイストペアケーブルを通して前記ＲＲＵハブから受信した前記複数のＲＲＵフレームからなる信号をライン符号化してライン符号化信号を出力するイーサネット（登録商標）ドライバーと、
　前記ライン符号化信号を４Ｂ／５Ｂ復号化して前記ＲＲＵフレームを出力するインターフェース変換部と、
　前記インターフェース変換部から出力される前記ＲＲＵフレームを前記伝送フレームフォーマットに従いデフレーミングしてベースバンドトラヒックデータを出力するフレームフォーマッティング部と、
　前記フレームフォーマッティング部から受信したベースバンドトラヒックデータをＩＦ信号に変換するＩＦ処理部と、
　前記ＩＦ信号をＲＦ信号に変調し、該ＲＦ信号をアンテナを通して前記移動通信端末に送信するＲＦ処理部と、を備える請求項１記載の移動通信基地局システム。
【請求項１３】
　それぞれの前記ＲＲＵは、
　前記移動通信端末によって送信される前記ＲＦ信号を受信し、該受信ＲＦ信号をＩＦ信号に変換するＲＦ処理部と、
　前記ＲＦ処理部から受信した前記ＩＦ信号をベースバンドトラヒックデータに変換するＩＦ処理部と、
　前記ベースバンドトラヒックデータを前記伝送フレームフォーマットに従いＲＲＵフレームに変換するフレームフォーマッティング部と、
　前記ＲＲＵフレームを４Ｂ／５Ｂ符号化して４Ｂ／５Ｂ符号化ＲＲＵフレームを出力するインターフェース変換部と、
　前記４Ｂ／５Ｂ符号化ＲＲＵフレームをツイストペアケーブルを使用するイーサネット（登録商標）を通して伝送するためにライン符号化するイーサネット（登録商標）ドライバーと、を備える請求項２記載の移動通信基地局システム。　
【請求項１４】
　前記ＲＲＵフレームは、
　前記移動通信端末によって送受信されるトラヒックデータを伝送するために使用されるトラヒックフレームと、
　前記複数のＲＲＵをそれぞれ区別する制御アドレス、及び前記複数のＲＲＵの動作及び機能を制御するための命令を含む制御データを伝送するために使用される制御フレームと、に区分される請求項１記載の移動通信基地局システム。
【請求項１５】
　前記ＤＭＵは、時刻及びクロック情報を受信してそれに同期した伝送クロック信号を発生するＧＰＳユニットをさらに備え、前記伝送クロック信号に同期してデータを処理及び送信し、
　前記少なくとも１つのＲＲＵハブは、前記第１イーサネット（登録商標）ドライバーが前記ＤＭＵから前記ＲＲＵフレームを受信して抽出したクロック信号から復元した伝送クロックを発生するＰＬＬクロック復元部をさらに備え、前記復元伝送クロック信号は、前記第１インターフェース変換部、前記第１フレームフォーマッティング部及び前記ＲＲＵ接続部に印加される請求項９記載の移動通信基地局システム。
【請求項１６】
　前記伝送クロック信号及び前記復元伝送クロック信号は、１００Ｂａｓｅ−Ｔ規格による２５ＭＨｚの周波数を有する請求項１５記載の移動通信基地局システム。
【請求項１７】
　前記ＤＭＵは、時刻及びクロック情報を受信してそれに同期した伝送クロック信号を発生するＧＰＳユニットをさらに備え、前記伝送クロック信号に同期してデータを処理及び送信し、
　それぞれの前記ＲＲＵは、前記イーサネット（登録商標）ドライバーが前記ＲＲＵハブから前記ＲＲＵフレームを受信して抽出したクロック信号から復元した伝送クロックを発生するＰＬＬクロック復元部をさらに備え、前記復元伝送クロック信号は前記インターフェース変換部、前記フレームフォーマッティング部、前記ＩＦ処理部及び前記ＲＦ処理部に印加される請求項１２記載の移動通信基地局システム。
【請求項１８】
　前記伝送クロック信号及び前記復元伝送クロック信号は、１００Ｂａｓｅ−Ｔ規格による２５ＭＨｚの周波数を有する請求項１７記載の移動通信基地局システム。
【請求項１９】
　ツイストペアケーブルを使用するイーサネット（登録商標）を通して前記少なくとも１つのＲＲＵハブと前記複数のＲＲＵのうちいずれか１つとの間に接続される少なくとも１つのＲＲＵ中継器をさらに備え、
　前記ＲＲＵ中継器は、
　ツイストペアケーブルを通して前記ＲＲＵハブから受信した前記複数のＲＲＵフレームからなる信号をライン復号化してライン復号化信号を出力する第１イーサネット（登録商標）ドライバーと、
　前記第１イーサネット（登録商標）ドライバーによって出力された前記ライン復号化信号を復元、波形整形及び増幅して増幅データを出力するトラヒックシェーパと、
　前記増幅データをライン符号化する第２イーサネット（登録商標）ドライバーと、を備える請求項１記載の移動通信基地局システム。
【請求項２０】
　前記ＤＭＵは、時刻及びクロック情報を受信してそれに同期した伝送クロック信号を発生するＧＰＳユニットをさらに備え、前記伝送クロック信号に同期してデータを処理及び送信し、
　前記ＲＲＵ中継器は、前記第１イーサネット（登録商標）ドライバーが前記ＲＲＵハブから前記ＲＲＵフレームを受信して抽出したクロック信号から復元した伝送クロックを発生するＰＬＬクロック復元部をさらに備え、前記復元伝送クロック信号は前記トラヒックシェーパ及び前記第２イーサネット（登録商標）ドライバーに印加される請求項１９記載の移動通信基地局システム。
【請求項２１】
　前記伝送クロック信号及び前記復元伝送クロック信号は、１００Ｂａｓｅ−Ｔ規格による２５ＭＨｚの周波数を有する請求項２０記載の移動通信基地局システム。
【請求項２２】
　ツイストペアケーブルを使用するイーサネット（登録商標）を通して前記少なくとも１つのＲＲＵハブと前記複数のＲＲＵのうちいずれか１つとの間に接続される少なくとも１つのＲＲＵ中継器をさらに備え、
　前記ＲＲＵ中継器は、
　ツイストペアケーブルを通してＲＲＵから受信した前記複数のＲＲＵフレームを備える信号をライン復号化してライン復号化信号を出力する第２イーサネット（登録商標）ドライバーと、
　前記第２イーサネット（登録商標）ドライバーによって出力された前記ライン復号化信号を復元、波形整形及び増幅して増幅データを出力するトラヒックシェーパと、
　前記増幅データをライン符号化する第１イーサネット（登録商標）ドライバーと、を備える請求項２記載の移動通信基地局システム。
【発明の詳細な説明】
【技術分野】
【０００１】
　本発明は、移動通信システムに関し、特に、移動通信基地局システムに関する。
【背景技術】
【０００２】
　一般的に、セルラー(cellular) 移動通信システムは、使用者情報の信号を送受信する複数の移動通信端末(Mobile Terminal)、この複数の移動通信端末の送受信信号を適切な処理過程を介して中継する基地局装置であるＢＴＳ(Base Transceiver Station)、複数のＢＴＳを制御する基地局制御装置であるＢＳＣ(Base Station Controller)、及びＢＳＣに接続されて移動通信ネットワークを構成する移動交換局であるＭＳＣ(Mobile Switching Center)から構成される。セルラー移動通信システムは、主に屋外に設置された複数の基地局を含む。サービス領域、つまり、カバレージ(coverage)は、それぞれの基地局別に音声中心のサービスを使用者に提供するように設定されている。基地局は、しばしば屋内に設置されることもあり、使用者に音声サービスだけでなくデータサービスも提供する。
【０００３】
　一方、移動通信において、中継器システムは、建物の地下または鉄骨構造物内で発生する電波の陰(shadow)を解消するか、若しくは特定地域のカバレージを拡張するために使用される。中継器システムは、複数の電波中継器を光線路又は同軸ケーブルを使用して基地局システムと接続し、基地局システムと移動通信端末との間で送受信される信号を中継する。このように光線路又は同軸ケーブルを使用する中継器システムは、線路上の損失が小さく、雑音に強いので、高品質の信号を送受信することができるという利点がある。しかしながら、このような中継器システムを使用する場合、光線路又は同軸ケーブルだけでなく関連装置が高価で、設置が難しく、コストが高いため、基地局システム全体の設置、維持及び管理に高コストがかかるといった問題点がある。さらに、従来の中継器システムは、単純にカバレージのみを拡張する機能を遂行していたので、このような従来の中継器システムを使用しても無線チャネル容量を拡張することはできない。
【発明の開示】
【発明が解決しようとする課題】
【０００４】
　従って、前述の問題点を解決するための本発明の目的は、基地局から遠隔設置され、ＲＦ(Radio Frequency)信号を移動通信端末と送受信する遠隔のＲＦ装置と基地局との間に高品質の信号を、低コストで容易に設置できる線路を通して伝送することのできる移動通信基地局システムを提供することにある。
【０００５】
　また、本発明の他の目的は、カバレージだけでなく無線チャネル容量を柔軟に拡張することのできる移動通信基地局システムを提供することにある。
【課題を解決するための手段】
【０００６】
　このような目的を達成するための本発明の移動通信基地局システムは、ＤＭＵ、少なくとも１つのＲＲＵハブ、及び複数のＲＲＵを備え、ＤＭＵは、ツイストペアケーブルを使用するイーサネット（登録商標）を通して少なくとも１つのＲＲＵハブと接続され、ＲＲＵハブは、ツイストペアケーブルを使用するイーサネット（登録商標）を通して複数のＲＲＵと接続される。ＤＭＵは、移動交換ネットワークに接続されるＢＳＣから移動通信端末に伝送される信号を受信し、この受信信号を予め定めたＲＲＵフレームである伝送フレームフォーマットに従いフレーミングしてＲＲＵフレーム信号をＲＲＵハブに送信するとともに、一方でＲＲＵハブから受信したＲＲＵフレームの信号を伝送フレームフォーマットに従いデフレーミングしてＢＳＣに送信する。ＲＲＵハブは、ＤＭＵからＲＲＵフレームの信号を受信して複数のＲＲＵに分配するとともに、一方で複数のＲＲＵから受信したＲＲＵフレーム信号を多重化してＤＭＵに送信する。ＲＲＵはＲＲＵハブから受信したＲＲＵフレームの信号を伝送フレームフォーマットに従いデフレーミングした後、このデフレーミング信号をＲＦ信号に変調して移動通信端末に送信するとともに、一方で移動通信端末から受信したＲＦ信号を復調した後、伝送フレームフォーマットに従いフレーミングしてＲＲＵフレームの信号をＲＲＵハブに送信する。
【０００７】
　すなわち、本発明の移動通信交換網に接続されるＢＳＣと移動通信端末との間の移動通信を提供する基地局システムは、ＢＳＣから移動通信端末に伝送される信号を受信し、この受信信号をイーサネット（登録商標）に規定されたデータフォーマットとは異なる予め定めたＲＲＵフレームである伝送フレームフォーマットに従いフレーミングし、複数のＲＲＵフレームをツイストペアケーブルを使用するイーサネット（登録商標）を通して連続して送信するＤＭＵと、ＤＭＵによって送信されたＲＲＵフレームを受信して、この受信ＲＲＵフレームをツイストペアケーブルを使用するイーサネット（登録商標）を通して複数のＲＲＵに分配する少なくとも１つのＲＲＵハブと、ＲＲＵハブから受信したＲＲＵフレームをデフレーミングしてデフレーミング信号を生成し、このデフレーミング信号をＲＦ信号に変調してＲＦ信号を移動通信端末に送信する複数のＲＲＵと、を備えることを特徴とする。一方、複数のＲＲＵが、移動通信端末によって送信されたＲＦ信号を受信し、この受信ＲＦ信号をＩＦ信号に変換し、ＲＲＵフレームを形成するためにＩＦ信号を対応する伝送フレームフォーマットに従いフレーミングし、この対応するＲＲＵフレームをツイストペアケーブルを使用するイーサネット（登録商標）を通して少なくとも１つのＲＲＵハブに送信し、ＲＲＵハブは、ＲＲＵによって送信されたそれぞれの対応するＲＲＵフレームを多重化し、複数のＲＲＵフレームをツイストペアケーブルを使用するイーサネット（登録商標）を通してＤＭＵに連続して送信し、ＤＭＵは、ＲＲＵハブから受信したＲＲＵフレームをデフレーミングしてデフレーミング信号を生成し、このデフレーミング信号を前記ＢＳＣに送信するようにすれば、移動通信端末からＢＳＣに信号が伝送されるようになるので好ましい。
【０００８】
　また、本発明の移動通信基地局システムは、ＲＲＵハブとＲＲＵとの間の距離を延長するために、少なくとも１つのＲＲＵハブと複数のＲＲＵのうちいずれか１つとの間にツイストペアケーブルを使用するイーサネット（登録商標）を通して接続される少なくとも１つのＲＲＵ中継器をさらに備え、この中継器は、少なくとも１つのＲＲＵハブと複数のＲＲＵのうちいずれか１つとの間に伝送されるＲＲＵフレームの信号を復元、波形整形及び増幅するようにするとよい。このＲＲＵ中継器は、ＲＲＵハブとＲＲＵとの間の接続距離が短いため、信号の増幅が必要でない場合は、使用しないことも可能である。
【０００９】
　ＤＭＵは、ＢＳＣから移動通信端末に伝送される信号を受信し復調したベースバンドトラヒックデータを生成するベースバンド変復調部と、ベースバンドトラヒックデータを受信して損失を防止するためにメモリに一時的に貯蔵してから連続して出力するデータ受信部と、データ受信部から出力されるベースバンドトラヒックデータを受信して伝送フレームフォーマットに従い複数のＲＲＵフレームを連続して生成するフレームフォーマッティング部と、ＲＲＵフレームを４Ｂ／５Ｂ符号化して、この４Ｂ／５Ｂ符号化ＲＲＵフレームを出力するインターフェース変換部と、４Ｂ／５Ｂ符号化ＲＲＵフレームをツイストペアケーブルを使用するイーサネット（登録商標）を通して少なくとも１つのＲＲＵハブに伝送するためにライン符号化するイーサネット（登録商標）ドライバーと、を備えるとよい。また、ＤＭＵは、ＲＲＵハブから受信したＲＲＵフレームをライン復号化してライン復号化信号を出力するイーサネット（登録商標）ドライバーと、ライン復号化信号を４Ｂ／５Ｂ復号化して４Ｂ／５Ｂ復号化ＲＲＵフレームを出力するインターフェース変換部と、４Ｂ／５Ｂ復号化ＲＲＵフレームを伝送フレームフォーマットに従いデフレーミングしてベースバンドトラヒックデータを出力するフレームフォーマッティング部と、ベースバンドトラヒックデータを受信して損失を防止するためにメモリに一時的に貯蔵してから出力するデータ受信部と、ベースバンドトラヒックデータを受信してＢＳＣに伝送する変調したベースバンドトラヒックデータを生成するベースバンド変復調部と、を備えるとなおよい。
【００１０】
　そのＤＭＵは、時刻及びクロック情報を受信してそれに同期した伝送クロック信号を発生するＧＰＳユニットをさらに備え、伝送クロック信号に同期してデータを処理及び送信すると好ましい。伝送クロック信号は、１００Ｂａｓｅ−Ｔ規格による２５ＭＨｚの周波数を有するとよい。
【００１１】
　少なくとも１つのＲＲＵハブは、ツイストペアケーブルを通してＤＭＵから受信した複数のＲＲＵフレームからなる信号をライン復号化してライン復号化信号を出力する第１イーサネット（登録商標）ドライバーと、ライン復号化信号を４Ｂ／５Ｂ復号化してＲＲＵフレームを出力する第１インターフェース変換部と、第１インターフェース変換部から出力されたＲＲＵフレームを伝送フレームフォーマットに従いデフレーミングしてデフレーミングデータを出力する第１フレームフォーマッティング部と、デフレーミングデータを複数のＲＲＵ接続部に分配する多重化部と、それぞれのＲＲＵのうちいずれか１つに対応するように接続され、多重化部から受信したデフレーミングデータをＲＲＵフレームを出力するために伝送フレームフォーマットに従いフレーミングし、出力するＲＲＵフレームを４Ｂ／５Ｂ符号化し、この４Ｂ／５Ｂ符号化ＲＲＵフレームをツイストペアケーブルを使用するイーサネット（登録商標）を通してＲＲＵのうちの対応する１つに伝送するためにライン符号化するＲＲＵ接続部と、多重化部の分配を制御するＲＲＵハブ制御部と、を備えると好ましい。
【００１２】
　それぞれのＲＲＵ接続部は、ＲＲＵフレームを出力するために多重化部から受信したデフレーミングデータを伝送フレームフォーマットに従いフレーミングする第２フレームフォーマッティング部と、第２フレームフォーマッティング部から受信した出力するＲＲＵフレームを４Ｂ／５Ｂ符号化する第２インターフェース変換部と、４Ｂ／５Ｂ符号化ＲＲＵフレームをツイストペアケーブルを使用するイーサネット（登録商標）を通してＲＲＵのうちの対応する１つに伝送するためにライン符号化する第２イーサネット（登録商標）ドライバーと、を備えると好ましい。
【００１３】
　また、少なくとも１つのＲＲＵハブは、ＲＲＵから受信したＲＲＵフレームをライン復号化してライン復号化信号を出力する第２イーサネット（登録商標）ドライバーと、ライン復号化信号を４Ｂ／５Ｂ復号化して４Ｂ／５Ｂ復号化ＲＲＵフレームを出力する第２インターフェース変換部と、４Ｂ／５Ｂ復号化ＲＲＵフレームを伝送フレームフォーマットに従いデフレーミングしてトラヒックデータを出力する第２フレームフォーマッティング部と、を含むＲＲＵのうちの対応する１つに接続される複数のＲＲＵ接続部と、ＲＲＵハブ制御部によって制御され、第２フレームフォーマッティング部から出力されるトラヒックデータを多重化して多重化データを出力する多重化部と、多重化データから伝送フレームフォーマットに従い複数のＲＲＵフレームを連続して生成する第１フレームフォーマッティング部と、ＲＲＵフレームを４Ｂ／５Ｂ符号化して４Ｂ／５Ｂ符号化ＲＲＵフレームを出力する第１インターフェース変換部と、４Ｂ／５Ｂ符号化ＲＲＵフレームをツイストペアケーブルを使用するイーサネット（登録商標）を通してＤＭＵに伝送するためにライン符号化する第１イーサネット（登録商標）ドライバーと、を備えるとなお好ましい。
【００１４】
　それぞれのＲＲＵは、ツイストペアケーブルを通してＲＲＵハブから受信した複数のＲＲＵフレームからなる信号をライン符号化してライン符号化信号を出力するイーサネット（登録商標）ドライバーと、ライン符号化信号を４Ｂ／５Ｂ復号化してＲＲＵフレームを出力するインターフェース変換部と、インターフェース変換部から出力されるＲＲＵフレームを伝送フレームフォーマットに従いデフレーミングしてベースバンドトラヒックデータを出力するフレームフォーマッティング部と、フレームフォーマッティング部から受信したベースバンドトラヒックデータをＩＦ信号に変換するＩＦ処理部と、ＩＦ信号をＲＦ信号に変調し、このＲＦ信号をアンテナを通して移動通信端末に送信するＲＦ処理部と、を備えるとよい。また、それぞれのＲＲＵは、移動通信端末によって送信されるＲＦ信号を受信し、この受信ＲＦ信号をＩＦ信号に変換するＲＦ処理部と、ＲＦ処理部から受信したＩＦ信号をベースバンドトラヒックデータに変換するＩＦ処理部と、ベースバンドトラヒックデータを伝送フレームフォーマットに従いＲＲＵフレームに変換するフレームフォーマッティング部と、ＲＲＵフレームを４Ｂ／５Ｂ符号化して４Ｂ／５Ｂ符号化ＲＲＵフレームを出力するインターフェース変換部と、４Ｂ／５Ｂ符号化ＲＲＵフレームをツイストペアケーブルを使用するイーサネット（登録商標）を通して伝送するためにライン符号化するイーサネット（登録商標）ドライバーと、を備えるとなおよい。
【００１５】
　ＲＲＵフレームは、移動通信端末によって送受信されるトラヒックデータを伝送するために使用されるトラヒックフレームと、複数のＲＲＵをそれぞれ区別する制御アドレス、及び複数のＲＲＵの動作及び機能を制御するための命令を含む制御データを伝送するために使用される制御フレームと、に区分されると好ましい。
【００１６】
　ＤＭＵは、時刻及びクロック情報を受信してそれに同期した伝送クロック信号を発生するＧＰＳユニットをさらに備え、伝送クロック信号に同期してデータを処理及び送信し、少なくとも１つのＲＲＵハブは、第１イーサネット（登録商標）ドライバーがＤＭＵからＲＲＵフレームを受信して抽出したクロック信号から復元した伝送クロックを発生するＰＬＬクロック復元部をさらに備え、復元伝送クロック信号は、第１インターフェース変換部、第１フレームフォーマッティング部及びＲＲＵ接続部に印加されるとよい。
【００１７】
　この場合、伝送クロック信号及び復元伝送クロック信号は、１００Ｂａｓｅ−Ｔ規格による２５ＭＨｚの周波数を有すると好ましい。
【００１８】
　また、ＤＭＵは、時刻及びクロック情報を受信してそれに同期した伝送クロック信号を発生するＧＰＳユニットをさらに備え、伝送クロック信号に同期してデータを処理及び送信し、それぞれのＲＲＵは、イーサネット（登録商標）ドライバーがＲＲＵハブからＲＲＵフレームを受信して抽出したクロック信号から復元した伝送クロックを発生するＰＬＬクロック復元部をさらに備え、復元伝送クロック信号はインターフェース変換部、フレームフォーマッティング部、ＩＦ処理部及びＲＦ処理部に印加されるとよい。
【００１９】
　この場合も、伝送クロック信号及び復元伝送クロック信号は、１００Ｂａｓｅ−Ｔ規格による２５ＭＨｚの周波数を有すると好ましい。
【００２０】
　ツイストペアケーブルを使用するイーサネット（登録商標）を通して少なくとも１つのＲＲＵハブと複数のＲＲＵのうちいずれか１つとの間に接続される少なくとも１つのＲＲＵ中継器をさらに備え、ＲＲＵ中継器は、ツイストペアケーブルを通してＲＲＵハブから受信した複数のＲＲＵフレームからなる信号をライン復号化してライン復号化信号を出力する第１イーサネット（登録商標）ドライバーと、第１イーサネット（登録商標）ドライバーによって出力されたライン復号化信号を復元、波形整形及び増幅して増幅データを出力するトラヒックシェーパと、増幅データをライン符号化する第２イーサネット（登録商標）ドライバーと、を備えるとなお好ましい。ここで、ＤＭＵは、時刻及びクロック情報を受信してそれに同期した伝送クロック信号を発生するＧＰＳユニットをさらに備え、伝送クロック信号に同期してデータを処理及び送信し、ＲＲＵ中継器は、第１イーサネット（登録商標）ドライバーがＲＲＵハブからＲＲＵフレームを受信して抽出したクロック信号から復元した伝送クロックを発生するＰＬＬクロック復元部をさらに備え、復元伝送クロック信号はトラヒックシェーパ及び第２イーサネット（登録商標）ドライバーに印加されるとよい。その伝送クロック信号及び前記復元伝送クロック信号は、１００Ｂａｓｅ−Ｔ規格による２５ＭＨｚの周波数を有するとなおよい。
【００２１】
　また、ツイストペアケーブルを使用する前記イーサネット（登録商標）を通して少なくとも１つのＲＲＵハブと複数のＲＲＵのうちいずれか１つとの間に接続される少なくとも１つのＲＲＵ中継器をさらに備え、ＲＲＵ中継器は、ツイストペアケーブルを通してＲＲＵから受信した複数のＲＲＵフレームを備える信号をライン復号化してライン復号化信号を出力する第２イーサネット（登録商標）ドライバーと、第２イーサネット（登録商標）ドライバーによって出力されたライン復号化信号を復元、波形整形及び増幅して増幅データを出力するトラヒックシェーパと、増幅データをライン符号化する第１イーサネット（登録商標）ドライバーと、を備えると好ましい。
【発明の効果】
【００２２】
　本発明の移動通信基地局システムによると、ツイストペアケーブルを使用するイーサネット（登録商標）を採用する基地局は、基地局と、基地局から離れて設置され、移動通信端末とＲＦ信号を送受信するＲＲＵとの間に高品質の信号を、低コストで容易に設置できる線路を通して伝送することができるという利点を有する。
【発明を実施するための最良の形態】
【００２３】
　以下、本発明に従う好適な一実施形態について添付図を参照しつつ詳細に説明する。下記の説明において、本発明の要旨のみを明確にする目的で、関連した公知機能又は構成に関する具体的な説明は省略する。
【００２４】
　図１は、本発明の一実施形態による移動通信基地局システムのブロック構成図である。移動通信交換ネットワーク(Mobile Exchange Network)に接続される通常のＢＳＣ１００は、ＤＭＵ(digital modem unit)１０２に接続され、ＤＭＵ１０２は、複数のＲＲＵハブ(remote RF unit hub)１０４にツイストペアケーブル(twisted pair cable)を使用するイーサネット（登録商標）を介して接続される。複数のＲＲＵハブ１０４のそれぞれは、移動通信端末１１０とＲＦ信号を送受信する複数のＲＲＵ１０８と、複数のＲＲＵ中継器(RRU Repeater)１０６のうち対応するＲＲＵ中継器１０６を通してツイストペアケーブルを使用するイーサネット（登録商標）を介し接続される。複数のＲＲＵハブ１０４は、多様なグループ(group)の複数のＲＲＵ１０８とＲＲＵ中継器１０６を通してそれぞれ接続される。ここでは、便宜のために、１つのＲＲＵハブ１０４が複数のＲＲＵ中継器１０６及びＲＲＵ１０８と接続される場合を示す。なお、他のＲＲＵハブ１０４とＲＲＵ中継器１０６及びＲＲＵ１０８との接続は図示しない。
【００２５】
　前述したように、イーサネット（登録商標）を採用することによって、高品質の信号を伝送することが可能になる。さらに、光線路又は同軸ケーブルの代わりにツイストペアケーブルを使用することによって、光線路又は同軸ケーブルを使用する中継器システムに比べてシステムの設置が容易で低コストになる。イーサネット（登録商標）において、ツイストペアケーブルは、広くＵＴＰ(Unshielded Twisted Pair Cable)とＳＴＰ(Shielded Twisted Pair Cable)に区分される。ＵＴＰは、１０Ｂａｓｅ−Ｔ、１００Ｂａｓｅ−Ｔ、１０００Ｂａｓｅ−Ｔなどの規格を使用するイーサネット（登録商標）に使用されることができ、ＳＴＰは、１０Ｂａｓｅ−Ｔ、１００Ｂａｓｅ−ＴＸ、１０００Ｂａｓｅ−ＣＸなどの規格を使用するイーサネット（登録商標）に使用されることができる。
【００２６】
　一方、基地局と移動通信端末１１０との間のデータ伝送は、連続するストリーム(stream)形態で遂行されるべきである。これに対して、イーサネット（登録商標）においては、データ伝送がパケット(packet)単位で切られて遂行されるので、信号のカットオフ(cut-off)が発生する。その結果、イーサネット（登録商標）を無線信号伝送のために使用することが難しい。このような点を考慮して、本発明の一実施形態では、イーサネット（登録商標）フレームを使用せずに、図２に示すように、フレームが連続する規定された独自の伝送フレームフォーマットを採用する。本発明の一実施形態において、このように連続するフレームを“ＲＲＵフレーム(remote RF unit frame)”と称する。
【００２７】
　図２において、伝送フレームフォーマットを見ると、複数のＲＲＵフレーム、例えば、図２の(ａ)に示したように３１２５個のＲＲＵフレームが１つのスーパーフレーム(super frame)を構成する。スーパーフレームは、ＲＲＵフレームのように連続してつながっている。１つのＲＲＵフレームは、図２の(ｂ)に示すように、１ビットのスーパーフレーム同期(Super Frame Synchronous: ＳＦＳ)ビットをロード(loading)する同期フィールド、１７ビットのフレームデータをロードするデータフィールド、及び７ビットのＣＲＣ(Cyclic Redundancy Check)値をロードするＣＲＣフィールドから構成される。データフィールドのエラーを検出するために、ＣＲＣの生成多項式Ｐ(ｘ)としては、Ｐ(ｘ)＝ｘ７＋ｘ３＋１が使用される。
【００２８】
　このようなＲＲＵフレームは、データフィールドにロードされるフレームデータによってトラヒックフレームと制御フレームに区分される。トラヒックフレームの場合、図２の(ｃ)に示すように、データフィールドにビット整列のための１ビットの予備ビット及び１６ビットのトラヒックデータ(Traffic data)がロードされる。制御フレームの場合、図２の(ｄ)に示すように、データフィールドにビット整列のための１ビットの予備ビット、８ビットの制御アドレス(Control Address)、及び８ビットの制御データ(Control data)がロードされる。
【００２９】
　トラヒックフレームは、ＢＳＣ１００と移動通信端末１１０との間で送受信されるトラヒックデータ、つまり、音声通話サービス又はデータ通信サービスによるデータを伝送する場合に使用される。例えば、１つのＲＲＵハブ１０４に接続されるＲＲＵ１０８が８つであり、それぞれのＲＲＵ１０８に１つのトラヒックフレームが割り当てられる場合、図２に示すように連続するＲＲＵフレームにおいて、各ＲＲＵ１０８に対応するトラヒックフレームは８番目のフレーム毎に現れる。
【００３０】
　制御フレームは、制御アドレス及び制御データを伝送するために使用される。制御アドレス及び制御データは、ＤＭＵ１０２が複数のＲＲＵ１０８の動作及び機能を制御し、その状態をチェックするために使用される。制御アドレスは、複数のＲＲＵ１０８をそれぞれ区別するためのアドレスである。それぞれＲＲＵ１０８には固有の制御アドレスが与えられる。制御データは、ＤＭＵ１０２が複数のＲＲＵ１０８の動作及び機能を制御するための命令、及び複数のＲＲＵ１０８がＤＭＵ１０２にレポートする情報である。それぞれの制御フレームは、決定された個数のトラヒックフレーム間に挿入される。
【００３１】
　本発明の一実施形態は、前述したように、独自の伝送フレームフォーマットを採用する。その結果、図１に示すように、ＤＭＵ１０２、ＲＲＵハブ１０４、ＲＲＵ中継器１０６及びＲＲＵ１０８はイーサネット（登録商標）によって接続されるが、イーサネット（登録商標）において規定されたデータフォーマット又はイーサネット（登録商標）の上位レベルのために規定されたデータフォーマットは使用されない。
【００３２】
　ＢＳＣ１００は、基地局と移動通信端末１１０との間の一般呼(call)だけでなく、ハンドオフ(hand-off)呼が発生する時に必要である全ての有無線資源を管理する。さらに、ＢＳＣ１００は、呼制御に必要である各種の機能を遂行する。このようなＢＳＣ１００はＤＭＵ１０２に接続される。
【００３３】
　ＤＭＵ１０２は、ＢＳＣ１００から移動通信端末１１０に伝送される信号を受信し、図２の伝送フレームフォーマットに従いその受信信号に対してフレーミング(framing)を遂行し、これをＲＲＵハブ１０４に送信する。また、ＤＭＵ１０２は、ＲＲＵハブ１０４のいずれか１つから受信したＲＲＵフレームの信号に対して伝送フレームフォーマットに従いデフレーミング(deframing)を遂行し、このデフレーミングした信号をＢＳＣ１００に送信する。
【００３４】
　ＲＲＵハブ１０４は、ＤＭＵ１０２からＲＲＵフレームの信号を受信し、自分と接続された複数のＲＲＵ中継器１０６にその受信信号を分配する。さらに、ＲＲＵハブ１０４は、複数のＲＲＵ中継器１０６を通して複数のＲＲＵ１０８から受信したＲＲＵフレームの信号を多重化し、この多重化した信号をＤＭＵ１０２に送信する。
【００３５】
　複数のＲＲＵ１０８のそれぞれは、複数のＲＲＵ中継器１０６及びＲＲＵハブ１０４を通してＤＭＵ１０２から受信したＲＲＵフレームの信号を伝送フレームフォーマットに従いデフレーミングする。その後、ＲＲＵ１０８は、ＲＲＵフレームの信号をＲＦ信号に変調する。ＲＲＵ１０８は、アンテナを通してＲＦ信号を移動通信端末１１０に送信する。
【００３６】
　また、ＲＲＵ１０８は、移動通信端末１１０からアンテナを通して受信したＲＦ信号を復調し、図２の伝送フレームフォーマットに従いフレーミングを遂行し、このＲＲＵフレームの信号をＲＲＵ中継器１０６を通してＲＲＵハブ１０４に送信する。
【００３７】
　複数のＲＲＵ中継器１０６は、ＲＲＵハブ１０４とＲＲＵ１０８との間の距離を延長するために使用される。ＲＲＵ中継器１０６は、ＲＲＵハブ１０４とＲＲＵ１０８との間で伝送されるＲＲＵフレームの信号を復元、波形整形及び増幅する。ＲＲＵ中継器１０６は、ＲＲＵハブ１０４とＲＲＵ１０８との間の接続距離が短く信号増幅が必要でない場合は使用されるなくてもよい。
【００３８】
　前述したＤＭＵ１０２、ＲＲＵハブ１０４、ＲＲＵ中継器１０６及びＲＲＵ１０８において、データの符号化方式は、イーサネット（登録商標）規格によって変化する。以下の説明において、ツイストペアケーブルを使用するイーサネット（登録商標）の一例として１００Ｂａｓｅ−Ｔを採用する場合を説明する。１００Ｂａｓｅ−Ｔは、データ符号化として４Ｂ／５Ｂ符号化方式を使用し、ライン符号化としてはＭＬＴ−３(Multi Level Transmission-3)符号化方式を使用する。これによって、伝送されるベースバンドの連続するデータは４ビットのニブル(nibble)単位で構成される。それぞれの４ビットのニブルは、２５Ｍｂｐｓの伝送速度を有する５ビットの信号、つまり、全体的に１２５Ｍｂｐｓの伝送速度を有する５ラインのＮＲＺＩ(Non-Return to Zero Inversion)信号に変換される。変換された信号は、ＮＲＺ(Non-Return to Zero)信号に戻され、スクランブリング(scrambling)された後、ＭＬＴ−３信号に変換されてツイストペアケーブルで伝送される。
【００３９】
　図３は、１００Ｂａｓｅ−Ｔ規格のイーサネット（登録商標）を採用する本発明の一実施形態によるＤＭＵ１０２を示すブロック構成図である。ＤＭＵは、ＤＭＵ制御部(controller)３００、ベースバンド変復調部(baseband modulator/demodulator)３０２、データ受信部(data receiver)３０６、データ貯蔵用メモリ(memory for data storage)３０８、フレームフォーマッティング部(frame formatting unit)３１０、インターフェース変換部(interface converter)３１２、イーサネット（登録商標）ドライバー(Ethernet（登録商標） driver)３１４、及びＧＰＳ(Global Positioning System)ユニット３１６から構成される。
【００４０】
　図３は、ＤＭＵ１０２に少なくとも１つのＲＲＵハブ１０４が接続されている一例を示している。ＤＭＵ１０２に接続されるＲＲＵハブ１０４の個数が増加すると、その個数分だけ図３に示す構成が追加される。
【００４１】
　ＤＭＵ制御部３００は、ベースバンド変復調部３０２がチャネル別に実行する変復調を制御する。さらに、ＤＭＵ制御部３００は、前述したような図２の制御フレームを使用して、フレームフォーマッティング部３１０を通して複数のＲＲＵ１０８の動作及び機能を制御する。
【００４２】
　ベースバンド変復調部３０２は、公知の通り、ＢＳＣ１００に含まれるボコーダ(Vocoder)及びトランスコーダ(Transcoder)に接続され、データ受信部３０６にも接続される。ベースバンド変復調部３０２は、それぞれのチャネルに対応する複数のベースバンドモデム(Baseband Modem)３０４を備える。このベースバンド変復調部３０２は、ＢＳＣ１００から移動通信端末１１０に伝送される信号を受信し、それぞれ対応するチャネル別に受信信号を復調することによって得られるベースバンドのトラヒックデータをデータ受信部３０６に出力する。また、ベースバンド変復調部３０２は、ベースバンドのトラヒックデータをデータ受信部３０６から受信し、この受信データをそれぞれ対応するチャネル別に変調した後、この変調データをＢＳＣ１００に送信する。
【００４３】
　ベースバンド変復調部３０２及びデータ貯蔵用メモリ３０８に接続されるデータ受信部３０６は、ベースバンド変復調部３０２からのトラヒックデータを入力として受信し、そのデータをデータ貯蔵用メモリ３０８に一時貯蔵してからデータをフレームフォーマッティング部３１０に連続して出力する。また、データ受信部３０６は、フレームフォーマッティング部３１０からベースバンド変復調部３０２に伝送されるトラヒックデータをデータ貯蔵用メモリ３０８に一時貯蔵してからそのデータをベースバンド変復調部３０２に出力する。
【００４４】
　フレームフォーマッティング部３１０は、データ受信部３０６からのトラヒックデータを入力として受信し、図２の伝送フレームフォーマットに従いフレーミングし、ＲＲＵフレームをインターフェース変換部３１２に出力する。また、フレームフォーマッティング部３１０は、インターフェース変換部３１２から受信するＲＲＵフレームを図２の伝送フレームフォーマットに従いデフレーミングし、このデフレーミングしたデータをデータ受信部３０６に出力する。
【００４５】
　インターフェース変換部３１２は、フレームフォーマッティング部３１０によってフレーミングされたＲＲＵフレームデータに対して４Ｂ／５Ｂ符号化を遂行し、スクランブリングしてイーサネット（登録商標）ドライバー３１４に出力する。また、インターフェース変換部３１２は、イーサネット（登録商標）ドライバー３１４を通してＲＲＵハブ１０４から受信するデータをデスクランブリング(descrambling)し、４Ｂ／５Ｂ復号化を遂行した後、ＲＲＵフレームをフレームフォーマッティング部３１０に出力する。
【００４６】
　イーサネット（登録商標）ドライバー３１４は、インターフェース変換部３１２によって変換されたデータをライン符号化し、ツイストペアケーブルを通してＲＲＵハブ１０４に送信する。また、イーサネット（登録商標）ドライバー３１４は、ツイストペアケーブルを通してＲＲＵハブ１０４から受信する信号をライン復号化してデータをインターフェース変換部３１２に出力する。
【００４７】
　ＧＰＳユニット３１６は、一般的なＢＴＳと同様にＧＰＳ衛星から時刻及びクロック情報を受信し、それに同期したクロックを発生する。本発明の一実施形態において、ＧＰＳユニット３１６は、１００Ｂａｓｅ−Ｔ規格による２５ＭＨｚの伝送クロック信号を発生し、伝送クロック信号をベースバンド変復調部３０２、フレームフォーマッティング部３１０、インターフェース変換部３１２及びイーサネット（登録商標）ドライバー３１４に印加する。従って、ＤＭＵ１０２は、ＧＰＳユニット３１６が発生する伝送クロック信号に同期してデータを処理及び送信する。
【００４８】
　図４は、１００Ｂａｓｅ−Ｔ規格のイーサネット（登録商標）を採用する本発明の一実施形態によるＲＲＵハブ１０４を示すブロック構成図である。ＲＲＵハブ１０４は、ＲＲＵハブ制御部４００、第１イーサネット（登録商標）ドライバー(Ethernet（登録商標） driver)４０２、第１インターフェース変換部４０４、第１フレームフォーマッティング部４０６、多重化部４０８、ＲＲＵ中継器１０６を通してＲＲＵ１０８にそれぞれ対応して接続される複数のＲＲＵ接続部４１０、及びＰＬＬ(Phase Locked Loop)クロック復元部(clock restoring unit)４１８から構成される。複数のＲＲＵ接続部４１０のそれぞれは、第２フレームフォーマッティング部４１２、第２インターフェース変換部４１４、及び第２イーサネット（登録商標）ドライバー４１６を含む。
【００４９】
　第１イーサネット（登録商標）ドライバー４０２は、ツイストペアケーブルを通してＤＭＵ１０２から受信する信号をライン復号化してデータを第１インターフェース変換部４０４に出力する。また、第１イーサネット（登録商標）ドライバー４０２は、第１インターフェース変換部４０４から受信するデータをライン符号化してツイストペアケーブルを通してＤＭＵ１０２に送信する。
【００５０】
　第１インターフェース変換部４０４は、第１イーサネット（登録商標）ドライバー４０２から受信するデータに対してデスクランブリングを遂行して、４Ｂ／５Ｂ復号化を遂行し、ＲＲＵフレームを第１フレームフォーマッティング部４０６に出力する。また、第１インターフェース変換部４０４は、第１フレームフォーマッティング部４０６から受信するＲＲＵフレームに対して４Ｂ／５Ｂ符号化を遂行して、スクランブリングを遂行し、このスクランブリングした信号を第１イーサネット（登録商標）ドライバー４０２に出力する。
【００５１】
　第１フレームフォーマッティング部４０６は、第１インターフェース変換部４０４から受信するＲＲＵフレームに対して、図２の伝送フレームフォーマットに従いデフレーミングを遂行し、このデフレーミングした信号を多重化部４０８に出力する。また、第１フレームフォーマッティング部４０６は、多重化部４０８から受信するデータに対して、図２の伝送フレームフォーマットに従いフレーミングを遂行し、ＲＲＵフレームを第１インターフェース変換部４０４に出力する。
【００５２】
　多重化部４０８は、第１フレームフォーマッティング部４０６から受信するデータを複数のＲＲＵ接続部４１０に分配する。また、多重化部４０８は、複数のＲＲＵ接続部４１０のそれぞれの第２フレームフォーマッティング部４１２から受信するデータに対して多重化を遂行し、この多重化したデータを第１フレームフォーマッティング部４０６に出力する。
【００５３】
　ＲＲＵハブ制御部４００は、多重化部４０８の分配及び多重化機能を制御する。
【００５４】
　第２フレームフォーマッティング部４１２は、多重化部４０８から受信するデータに対して図２の伝送フレームフォーマットに従いフレーミングを遂行し、ＲＲＵフレームを第２インターフェース変換部４１４に出力する。また、第２フレームフォーマッティング部４１２は、第２インターフェース変換部４１４から受信するＲＲＵフレームに対して図２の伝送フレームフォーマットに従いデフレーミングを遂行して多重化部４０８に出力する。
【００５５】
　第２インターフェース変換部４１４は、第２フレームフォーマッティング部４１２から受信するＲＲＵフレームに対して４Ｂ／５Ｂ符号化を遂行して、スクランブリングを遂行し、これを第２イーサネット（登録商標）ドライバー４１６に出力する。また、第２インターフェース変換部４１４は、第２イーサネット（登録商標）ドライバー４１６から受信するデータに対してデスクランブリングを遂行し、４Ｂ／５Ｂ復号化を遂行し、ＲＲＵフレームを第２フレームフォーマッティング部４１２に出力する。
【００５６】
　第２イーサネット（登録商標）ドライバー４１６は、第２インターフェース変換部４１４から受信するデータに対してライン符号化を遂行し、ツイストペアケーブルを通して、複数のＲＲＵ１０８のうち、対応するＲＲＵ１０８と接続されているＲＲＵ中継器１０６にライン符号化されたデータを送信する。また、第２イーサネット（登録商標）ドライバー４１６は、複数のＲＲＵ１０８のうち、対応するＲＲＵ１０８と接続されているＲＲＵ中継器１０６からの受信信号に対してライン復号化を遂行し、これを第２インターフェース変換部４１４に出力する。
【００５７】
　ＰＬＬクロック復元部４１８は、第１イーサネット（登録商標）ドライバー４０２がＤＭＵ１０２からＲＲＵフレームの信号を受信して抽出したクロックに対して波形整形を遂行し、伝送クロックを復元する。伝送クロックは、第１インターフェース変換部４０４、第２インターフェース変換部４１４、第１フレームフォーマッティング部４０６、第２フレームフォーマッティング部４１２、及び第２イーサネット（登録商標）ドライバー４１６に提供される。従って、ＲＲＵハブ１０４は、ＤＭＵ１０２と同様に、ＤＭＵ１０２のＧＰＳユニット３１６が発生した伝送クロックに同期してデータを処理及び送信する。
【００５８】
　図５は、１００Ｂａｓｅ−Ｔ規格のイーサネット（登録商標）を採用する本発明の一実施形態によるＲＲＵ中継器１０６を示すブロック構成図である。ＲＲＵ中継器１０６は、ＲＲＵ中継器制御部５００、第１イーサネット（登録商標）ドライバー５０２、トラヒックシェーパ(shaper)５０４、第２イーサネット（登録商標）ドライバー５０６、及びＰＬＬクロック復元部５０８から構成される。
【００５９】
　第１イーサネット（登録商標）ドライバー５０２は、ツイストペアケーブルを通して複数のＲＲＵハブ１０４のうち対応するＲＲＵハブ１０４から受信する信号に対してライン復号化を遂行し、このライン復号化した信号をトラヒックシェーパ５０４に出力する。また、第１イーサネット（登録商標）ドライバー５０２は、トラヒックシェーパ５０４から受信するデータに対してライン符号化し、ツイストペアケーブルを通して複数のＲＲＵハブ１０４のうち対応するＲＲＵハブ１０４にそのライン符号化したデータを出力する。
【００６０】
　トラヒックシェーパ５０４は、第１イーサネット（登録商標）ドライバー５０２から受信するデータに対して復元、波形整形及び増幅を遂行し、この増幅したデータを第２イーサネット（登録商標）ドライバー５０６に出力する。また、トラヒックシェーパ５０４は、第２イーサネット（登録商標）ドライバー５０６から受信するデータに対して復元、波形整形及び増幅を遂行し、この増幅したデータを第１イーサネット（登録商標）ドライバー５０２に出力する。ＲＲＵ中継器制御部５００は、トラヒックシェーパ５０４の動作を制御する。
【００６１】
　第２イーサネット（登録商標）ドライバー５０６は、トラヒックシェーパ５０４から受信するデータに対してライン符号化を遂行し、ツイストペアケーブルを通して複数のＲＲＵ１０８のうち対応するＲＲＵ１０８にライン符号化したデータを送信する。また、第２イーサネット（登録商標）ドライバー５０６は、複数のＲＲＵ１０８のうち対応するＲＲＵ１０８からツイストペアケーブルを通して受信する信号に対してライン復号化を遂行してトラヒックシェーパ５０４に出力する。
【００６２】
　ＰＬＬクロック復元部５０８は、第１イーサネット（登録商標）ドライバー５０２が複数のＲＲＵハブ１０４のうち対応するＲＲＵハブ１０４からＲＲＵフレームの信号を受信して抽出したクロックに対して波形整形を遂行し、伝送クロックを復元する。伝送クロックは、トラヒックシェーパ５０４及び第２イーサネット（登録商標）ドライバー５０６に提供される。従って、ＲＲＵ中継器１０６は、ＤＭＵ１０２と同様に、ＤＭＵ１０２のＧＰＳユニット３１６が発生した伝送クロックに同期してデータを処理及び送信する。
【００６３】
　図６は、１００Ｂａｓｅ−Ｔ規格のイーサネット（登録商標）を採用する本発明の一実施形態によるＲＲＵ１０８を示すブロック構成図である。ＲＲＵ１０８は、ＲＲＵ制御部６００、イーサネット（登録商標）ドライバー６０２、インターフェース変換部６０４、フレームフォーマッティング部６０６、ＩＦ(Intermediate Frequency)処理部６０８、ＲＦ処理部６１０、及びＰＬＬクロック復元部６１２から構成される。
【００６４】
　イーサネット（登録商標）ドライバー６０２は、ツイストペアケーブルを通して複数のＲＲＵ中継器１０６のうち対応するＲＲＵ中継器から受信する信号に対してライン復号化を遂行してインターフェース変換部６０４に出力する。また、イーサネット（登録商標）ドライバー６０２は、インターフェース変換部６０４から受信するデータに対してライン符号化を遂行し、ツイストペアケーブルを通して複数のＲＲＵ中継器１０６のうち対応するＲＲＵ中継器１０６にそのライン符号化したデータを伝送する。
【００６５】
　インターフェース変換部６０４は、イーサネット（登録商標）ドライバー６０２から受信するデータに対してデスクランブリングを遂行して４Ｂ／５Ｂ復号化を遂行し、ＲＲＵフレームをフレームフォーマッティング部６０６に出力する。また、インターフェース変換部６０４は、フレームフォーマッティング部６０６から受信するＲＲＵフレームに対して４Ｂ／５Ｂ符号化を遂行してスクランブリングを遂行し、このスクランブリングしたフレームをイーサネット（登録商標）ドライバー６０２に出力する。
【００６６】
　フレームフォーマッティング部６０６は、インターフェース変換部６０４から受信するＲＲＵフレームに対して図２の伝送フレームフォーマットに従いデフレーミングを遂行し、ベースバンドのトラヒックデータをＩＦ処理部６０８に出力する。また、フレームフォーマッティング部６０６は、ＩＦ処理部６０８から受信するベースバンドのトラヒックデータに対して図２の伝送フレームフォーマットに従いフレーミングを遂行し、ＲＲＵフレームをインターフェース変換部６０４に出力する。
【００６７】
　ＲＲＵ制御部６００は、制御フレームの制御アドレスがＲＲＵ制御部６００自身を指定する場合に現れる制御データに基づいてコマンドを解析して実行し、ＩＦ信号をＲＦ処理部６１０に出力し、フレームフォーマッティング部６０６によってデフレーミングされた制御フレームを使用して、その結果をＤＭＵ１０２にレポートする。
【００６８】
　ＩＦ処理部６０８は、フレームフォーマッティング部６０６から受信するベースバンドのトラヒックデータをＩＦ信号に変換し、このＩＦ信号をＲＦ処理部６１０に出力する。また、ＩＦ処理部６０８は、ＲＦ処理部６１０から受信するＩＦ信号をベースバンドのトラヒックデータに変換してフレームフォーマッティング部６０６に出力する。
【００６９】
　ＲＦ処理部６１０は、ＩＦ信号をＲＦ信号に変調し、この変調ＲＦ信号をアンテナを通して移動通信端末１１０に送信する。また、ＲＦ処理部６１０は、移動通信端末１１０からアンテナを通して受信するＲＦ信号をＩＦ信号に変換し、このＩＦ信号をＩＦ処理部６０８に出力する。
【００７０】
　ＰＬＬクロック復元部６１２は、イーサネット（登録商標）ドライバー６０２がＲＲＵ中継器１０６のうち対応するＲＲＵ中継器１０６からＲＲＵフレームの信号を受信して抽出したクロックに対して波形整形を遂行し、伝送クロックを復元する。伝送クロックは、インターフェース変換部６０４、フレームフォーマッティング部６０６、ＩＦ処理部６０８、及びＲＦ処理部６１０に提供される。従って、ＲＲＵ１０８は、ＤＭＵ１０２と同様に、ＤＭＵ１０２のＧＰＳユニット３１６が発生した伝送クロックに同期してデータを処理及び送信する。
【００７１】
　前述したように、ＤＭＵ１０２のイーサネット（登録商標）ドライバー３１４、ＲＲＵハブ１０４の第１イーサネット（登録商標）ドライバー４０２及び第２イーサネット（登録商標）ドライバー４１６、ＲＲＵ中継器１０６の第１イーサネット（登録商標）ドライバー５０２及び第２イーサネット（登録商標）ドライバー５０６、ＲＲＵ１０８のイーサネット（登録商標）ドライバー６０２は、１００Ｂａｓｅ−ＴのＭＬＴ−３ 符号化方式を使用してライン符号化及び復号化を遂行する。
【００７２】
　ＤＭＵ１０２のインターフェース変換部３１２、ＲＲＵハブ１０４の第１インターフェース変換部４０４及び第２インターフェース変換部４１４、ＲＲＵ１０８のインターフェース変換部６０４は、前述した１００Ｂａｓｅ−Ｔの符号化方式によって４Ｂ／５Ｂ符号化及び復号化を遂行する。
【００７３】
　スクランブリング及びデスクランブリングは、４０９５(＝２１２−１)の周期を有するＰＮ(Pseudo Noise)コードを使用する。このようなＭＬＴ−３符号化方式によってライン符号化及び復号化、４Ｂ／５Ｂ符号化及び復号化、スクランブリング及びデスクランブリングは、一般的な１００Ｂａｓｅ−Ｔ規格のイーサネット（登録商標）においてはＰＨＹ(physical layer interface)チップで遂行される。また、本発明の一実施形態では、前述したように独自の伝送フレームフォーマットを採用する。本発明の一実施形態においては一般的なＰＨＹチップを使用することができないので、イーサネット（登録商標）ドライバー３１４、４０２、４１６、５０２、５０６、６０２及びインターフェース変換部３１２、４０４、４１４、６０４が別途に構成される。ただ、イーサネット（登録商標）ドライバー３１４、４０２、４１６、５０２、５０６、６０２を別途に構成せずに、一般的なＰＨＹチップをイーサネット（登録商標）ドライバー機能のみを遂行するようにして使用こともできる。ＤＭＵ１０２のフレームフォーマッティング部３１０、ＲＲＵハブ１０４の第１フレームフォーマッティング部４０６及び第２フレームフォーマッティング部４１２、及びＲＲＵ１０８のフレームフォーマッティング部６０６は、図２の伝送フレームフォーマットに従いフレーミング及びデフレーミングを遂行するように、ＦＰＧＡ(Field Programmable Gate Array)を使用して具現される。
【００７４】
　以下、本発明の一実施形態による基地局システムにおいて、ＢＳＣ１００から移動通信端末１１０に伝送される信号がＤＭＵ１０２で受信され、ＲＲＵハブ１０４を通して対応するＲＲＵ中継器１０６及びＲＲＵ１０８を経て移動通信端末１１０に送信される信号送信動作について説明する。
【００７５】
　ＢＳＣ１００から伝送されてベースバンド変復調部３０２によって受信される信号は、複数のベースバンドモデム３０４によってそれぞれのチャネル別に復調される。復調されたベースバンドのトラヒックデータのサンプル(sample)は、データ受信部３０６に出力される。データ受信部３０６は、トラヒックデータのサンプルを受信する。受信されたトラヒックデータは、損失のない処理のためにデータ貯蔵用メモリ３０８に一時的に貯蔵され、連続してフレームフォーマッティング部３１０に出力される。データ受信部３０６から出力されてフレームフォーマッティング部３１０によって受信される連続したトラヒックデータは、図２の伝送フレームフォーマットに従いフレーミングされ、このＲＲＵフレームはインターフェース変換部３１２に出力される。
【００７６】
　この時、フレームフォーマッティング部３１０は、トラヒックフレームだけでなく、ＤＭＵ制御部３００の制御によって図２の伝送フレームフォーマットによる制御フレームをインターフェース変換部３１２に出力する。インターフェース変換部３１２に印加されるＲＲＵフレームデータは、４Ｂ／５Ｂ符号化されてスクランブリングされる。このスクランブリングされた信号は、イーサネット（登録商標）ドライバー３１４によってライン符号化され、ツイストペアケーブルを通して複数のＲＲＵハブ１０４のうち対応するＲＲＵハブに送信される。
【００７７】
　次に、ＲＲＵハブ１０４においては、ツイストペアケーブルを通してＤＭＵ１０２から受信する信号が第１イーサネット（登録商標）ドライバー４０２によってライン復号化される。このライン復号化された信号は、第１インターフェース変換部４０４に印加されてデスクランブリングされ、４Ｂ／５Ｂ復号化される。この復号化されたＲＲＵフレームは第１フレームフォーマッティング部４０６に出力される。それから、第１フレームフォーマッティング部４０６は、復号化されたＲＲＵフレームを図２の伝送フレームフォーマットに従いデフレーミングして多重化部４０８に出力する。多重化部４０８は、データを複数のＲＲＵ接続部４１０に分配する。
【００７８】
　この時、前述した例のように、１つのＲＲＵハブ１０４に８つのＲＲＵ１０８が接続され、それぞれのＲＲＵ１０８に１つのトラヒックフレームが割り当てられる場合、多重化部４０８は、連続するＲＲＵフレームのうちトラヒックフレームを各ＲＲＵ１０８に対応するＲＲＵ接続部４１０に１つずつ順次に分配する。
【００７９】
　分配されたデータは、第２フレームフォーマッティング部４１２によって図２の伝送フレームフォーマットに従い再びフレーミングされる。ＲＲＵフレームは、第２インターフェース変換部４１４に出力され、この出力されたデータは４Ｂ／５Ｂ符号化されてスクランブリングされる。スクランブリングされた信号は、第２イーサネット（登録商標）ドライバー４１６によってライン符号化され、ツイストペアケーブルを通して複数のＲＲＵ１０８のうち対応するＲＲＵに接続されているＲＲＵ中継器１０６に送信される。
【００８０】
　ＲＲＵ中継器１０６において、ツイストペアケーブルを通して複数のＲＲＵハブ１０４のうち対応するＲＲＵハブ１０４から受信する信号が第１イーサネット（登録商標）ドライバー５０２によってライン復号化され、このライン復号化されたデータはトラヒックシェーパ５０４に出力される。伝送中に歪んだデータは、トラヒックシェーパ５０４によって復元、波形整形及び増幅される。この増幅されたデータは、第２イーサネット（登録商標）ドライバー５０６によってライン符号化され、ツイストペアケーブルを通して複数のＲＲＵ１０８のうち対応するＲＲＵ１０８に送信される。この時、トラヒックシェーパ５０４は、ＲＲＵフレームをデータ復元、波形整形及び増幅のためにデフレーミングするが、さらにデータのフレーミングはしない。その結果、データ復元、波形整形及び増幅のみが遂行されることによって、中継による時間遅延を最初化することができる。
【００８１】
　ＲＲＵ中継器１０６にツイストペアケーブルを通して接続されるＲＲＵ１０８において、ＲＲＵ中継器１０６から受信する信号はイーサネット（登録商標）ドライバー６０２によってライン復号化され、このライン復号化された信号はインターフェース変換部６０４に出力される。ライン復号化された信号は、インターフェース変換部６０４によってデスクランブリングされ、４Ｂ／５Ｂ復号化され、この複合化されたＲＲＵフレームはフレームフォーマッティング部６０６に出力される。フレームフォーマッティング部６０６は、インターフェース変換部６０４から受信するＲＲＵフレームを図２の伝送フレームフォーマットに従いデフレーミングし、ベースバンドのトラヒックデータをＩＦ処理部６０８に出力する。ＩＦ処理部６０８に印加されるベースバンドのトラヒックデータは、ＩＦ信号に変換される。ＩＦ信号は、ＲＦ処理部６１０に提供されてＲＦ信号に変調され、アンテナを通して移動通信端末１１０に送信される。
【００８２】
　以下、前述とは反対に、移動通信端末１１０から複数のＲＲＵ１０８のうち対応するＲＲＵ１０８、ＲＲＵ中継器１０６、ＲＲＵハブ１０４、及びＤＭＵ１０２を経てＢＳＣ１００に送信される信号の送信動作に関して説明する。
【００８３】
　移動通信端末１１０からＲＲＵ１０８に送信されるＲＦ信号は、ＲＦ処理部６１０においてＩＦ信号に変換され、ＩＦ処理部６０８は、ＩＦ信号をベースバンドのトラヒックデータに変換する。ベースバンドのトラヒックデータは、フレームフォーマッティング部６０６に出力され、図２の伝送フレームフォーマットに従いフレーミングされる。ＲＲＵフレームは、インターフェース変換部６０４によって４Ｂ／５Ｂ符号化されてスクランブリングされる。スクランブリングされた信号は、イーサネット（登録商標）ドライバー６０２によってライン符号化され、ツイストペアケーブルを通して複数のＲＲＵ中継器１０６のうち対応するＲＲＵ中継器１０６に伝送される。
【００８４】
　ＲＲＵ中継器１０６の第２イーサネット（登録商標）ドライバー５０６において、ツイストペアケーブルを通してＲＲＵ１０８から受信する信号はライン復号化され、このデータはトラヒックシェーパ５０４に出力される。トラヒックシェーパ５０４に出力されたデータは、復元、波形整形及び増幅される。増幅されたデータは、第１イーサネット（登録商標）ドライバー５０２によってライン符号化され、ツイストペアケーブルを通して複数のＲＲＵハブ１０４のうち対応するＲＲＵハブに送信される。この時、トラヒックシェーパ５０４は、データに対して復元、波形整形及び増幅のみを遂行するので、中継による時間遅延を最初化することができる。
【００８５】
　前述したように、ＲＲＵ中継器１０６からＲＲＵハブ１０４に伝送された信号は、ＲＲＵ接続部４１０の第２イーサネット（登録商標）ドライバー４１６によってライン復号化される。ライン復号化された信号は、第２インターフェース変換部４１４によってデスクランブリングされ、４Ｂ／５Ｂ復号化される。復号化された信号は、第２フレームフォーマッティング部４１２において伝送フレームフォーマットに従いデフレーミングされて多重化部４０８に印加される。多重化部４０８は、複数のＲＲＵ接続部４１０のそれぞれの第２フレームフォーマッティング部４１２から入力されるデータを多重化し、この多重化したデータを第１フレームフォーマッティング部４０６に出力する。この時、前述したように、１つのＲＲＵハブ１０４に８つのＲＲＵ１０８が接続され、それぞれのＲＲＵ１０８に１つのトラヒックフレームが割り当てられる場合、多重化部４０８は、各ＲＲＵ１０８に対応するＲＲＵ接続部４１０毎のデータが１つのトラヒックフレームに対応するように多重化する。そうすると、第１フレームフォーマッティング部４０６は、多重化部４０８から受信するデータを図２の伝送フレームフォーマットに従いフレーミングし、そのＲＲＵフレームを第１インターフェース変換部４０４に出力する。第１インターフェース変換部４０４に印加されたＲＲＵフレームは、４Ｂ／５Ｂ符号化されてスクランブリングされる。スクランブリングされた信号は、第１イーサネット（登録商標）ドライバー４０２によってライン符号化され、ツイストペアケーブルを通してＤＭＵ１０２に伝送される。
【００８６】
　ＤＭＵ１０２に伝送された信号は、イーサネット（登録商標）ドライバー３１４によってライン復号化され、インターフェース変換部３１２によってデスクランブリング及び４Ｂ／５Ｂ復号化される。復号化された信号は、フレームフォーマッティング部３１０によって図２の伝送フレームフォーマットに従いデフレーミングされてデータ受信部３０６に出力される。この時、フレームフォーマッティング部３１０は、制御フレームの制御アドレス及び制御データを抽出してＤＭＵ制御部３００に提供する。データ受信部３０６に出力されたトラヒックデータは、ベースバンド変復調部３０２の複数のベースバンドモデム３０４によってそれぞれのチャネル別に変調される。変調された信号は、ＢＳＣ１００に伝送される。
【００８７】
　本発明の一実施形態による基地局システムにおいて、ＤＭＵ１０２、ＲＲＵハブ１０４及びＲＲＵ１０８は、イーサネット（登録商標）を通して相互接続され、基地局システムは、イーサネット（登録商標）の上位レベル又はイーサネット（登録商標）において規定されたデータフォーマットの代わりに、フレームが連続するように規定された独自の伝送フレームフォーマットを採用する。従って、本発明の一実施形態による基地局は、ＤＭＵ１０２とＲＲＵ１０８との間に高品質の信号をイーサネット（登録商標）を通して伝送することを可能にする。
【００８８】
　光線路又は同軸ケーブルを使用する従来の中継器システムを含む基地局システムとは異なって、本発明の一実施形態による基地局システムは、ツイストペアケーブルを使用するイーサネット（登録商標）を採用することで、低コストで容易により多くのＲＲＵを使用することが可能になり、これによって、カバレージを柔軟に拡張することができる。つまり、セクタ又はＦＡ(Frequency Allocation)を拡張する必要がある場合、必要な分だけのＲＲＵ及びグループ化されたＲＲＵに接続されるＲＲＵハブを、ツイストペアケーブルを使用してＤＭＵに接続することができる。
【００８９】
　さらに、無線チャネル容量を拡張する必要が場合は、拡張する容量に合わせて、ＤＭＵ１０２、ＲＲＵハブ１０４、及びＲＲＵ１０８からなる基地局システムを追加してＢＳＣ１００に接続することができる。尚、高速でデータを伝送するために必要であるクロックを、ＲＲＵハブ１０４、ＲＲＵ中継器１０６及びＲＲＵ１０８に高品質状態で伝送することができることによって、効果的な高速データ伝送が可能になる。
【００９０】
　前述の如く、本発明の詳細な説明では具体的な一実施形態を参照して詳細に説明してきたが、本発明の範囲内で様々な変形が可能であるということは、当該技術分野における通常の知識を持つ者には明らかである。
【００９１】
　特に、本発明の実施形態においては、イーサネット（登録商標）として１００Ｂａｓｅ−Ｔ規格を採用しているが、１０Ｂａｓｅ−Ｔだけでなく１０００Ｂａｓｅ−Ｔのようなギガビット(Gigabit)イーサネット（登録商標）を採用することもできる。イーサネット（登録商標）規格が本発明と異なる場合、データの符号化方式も異なる。従って、ＤＭＵ１０２、ＲＲＵハブ１０４、ＲＲＵ１０８のそれぞれのインターフェース変換部及びイーサネット（登録商標）ドライバー、ＲＲＵ中継器１０６のイーサネット（登録商標）ドライバーもそれによって変更することができる。従って、本発明の範囲は前述の一実施形態によって限られるべきではなく、特許請求の範囲及び特許請求範囲の均等なものによって決定されるべきである。
【図面の簡単な説明】
【００９２】
【図１】本発明の一実施形態による移動通信基地局システムのブロック構成図。
【図２】本発明の一実施形態によるフレームフォーマットの例示図。
【図３】本発明の一実施形態によるＤＭＵのブロック構成図。
【図４】本発明の一実施形態によるＲＲＵハブのブロック構成図。
【図５】本発明の一実施形態によるＲＲＵ中継器のブロック構成図。
【図６】本発明の一実施形態によるＲＲＵのブロック構成図。
【符号の説明】
【００９３】
　１００　ＢＳＣ
　１０２　ＤＭＵ
　１０４　ＲＲＵハブ
　１０６　ＲＲＵ中継器
　１０８　ＲＲＵ
　１１０　移動通信端末
【図１】
2004040802.tif 000003
【図２】
2004040802.tif 000004
【図３】
2004040802.tif 000005
【図４】
2004040802.tif 000006
【図５】
2004040802.tif 000007
【図６】
2004040802.tif 000008